(57)【要約】【課題】温度測定部の異常が比較的長い時間継続する場合でも、庫内の温度を適切に制御することが可能なショーケースを提供する。【解決手段】このショーケース１００は、冷却器１１と、冷却器１１に冷媒を送液する電磁弁１２と、庫内の温度を測定する温度センサ２と、温度センサ２により測定された温度に基づいて電磁弁１２のオンオフを制御する制御部３と、各時間帯ごとの電磁弁１２のオン時間の割合を記憶する記憶部４とを備え、制御部３は、温度センサ２が異常である場合に、記憶部４に記憶された各時間帯ごとの電磁弁１２のオン時間の割合に基づいて、電磁弁１２のオンオフを制御するように構成されている。【選択図】図１
2016023879.tif 000002
【特許請求の範囲】
【請求項１】
冷却器と、
前記冷却器に冷媒を送液する電磁弁と、
庫内の温度を測定する温度測定部と、
前記温度測定部により測定された温度に基づいて前記電磁弁のオンオフを制御する制御部と、
各時間帯ごとの前記電磁弁のオン時間の割合を記憶する記憶部とを備え、
前記制御部は、前記温度測定部が異常である場合に、前記記憶部に記憶された各時間帯ごとの前記電磁弁のオン時間の割合に基づいて、前記電磁弁のオンオフを制御するように構成されている、ショーケース。
【請求項２】
前記制御部は、前記温度測定部が異常である場合に、前記記憶部に記憶された各時間帯ごとの前記電磁弁のオン時間の割合に、所定の補正量を加算するとともに、前記所定の補正量が加算された前記電磁弁のオン時間の割合に基づいて、前記電磁弁のオンオフを制御するように構成されている、請求項１に記載のショーケース。
【請求項３】
前記制御部は、前記温度測定部が異常である場合に、前記温度測定部の異常が発生した直前の時間帯のオン時間の割合と、前日の同じ時間帯のオン時間の割合との差分値を算出して、前記記憶部に記憶された各時間帯ごとの前記電磁弁のオン時間の割合に、前記差分値を前記所定の補正量として加算するとともに、前記所定の補正量が加算された前記電磁弁のオン時間の割合に基づいて、前記電磁弁のオンオフを制御するように構成されている、請求項２に記載のショーケース。
【請求項４】
前記所定の補正量は、ユーザにより設定されるように構成されており、
前記制御部は、前記温度測定部が異常である場合に、前記記憶部に記憶された各時間帯ごとの前記電磁弁のオン時間の割合に、前記ユーザにより設定された前記所定の補正量を加算するとともに、前記所定の補正量が加算された前記電磁弁のオン時間の割合に基づいて、前記電磁弁のオンオフを制御するように構成されている、請求項２または３に記載のショーケース。
【請求項５】
前記温度測定部の異常を検出する異常検出部をさらに備え、
前記制御部は、前記異常検出部により、前記温度測定部の異常が検出された場合に、前記温度測定部により測定された温度に基づいて前記電磁弁をオンオフする制御から、前記記憶部に記憶された各時間帯ごとの前記電磁弁のオン時間の割合に基づいて、前記電磁弁をオンオフする制御に切り替えるように構成されている、請求項１〜４のいずれか１項に記載のショーケース。
【請求項６】
庫内の温度を測定する温度測定部と、
前記温度測定部により測定された温度に基づいて、冷却器に冷媒を送液する電磁弁のオンオフを制御する制御部と、
各時間帯ごとの前記電磁弁のオン時間の割合を記憶する記憶部とを備え、
前記制御部は、前記温度測定部が異常である場合に、前記記憶部に記憶された各時間帯ごとの前記電磁弁のオン時間の割合に基づいて、前記電磁弁のオンオフを制御するように構成されている、冷却制御装置。
【発明の詳細な説明】
【技術分野】
【０００１】
この発明は、ショーケースおよび冷却制御装置に関し、特に、庫内の温度を測定する温度測定部を備えるショーケースおよび冷却制御装置に関する。
【背景技術】
【０００２】
従来、庫内の温度を測定する温度測定部を備えるショーケースが知られている（たとえば、特許文献１参照）。上記特許文献１では、正常運転時における冷媒電磁弁の最新の開閉時間間隔が記憶される。そして、温度検出センサの故障などによる異常時には、記憶された最新の開閉時間間隔に基づいて、冷媒電磁弁の開閉が行われる。これにより、温度検出センサの異常時においても、ショーケースの庫内の温度の制御が行われる。
【先行技術文献】
【特許文献】
【０００３】
【特許文献１】特開平７−１９０５８０号公報
【発明の概要】
【発明が解決しようとする課題】
【０００４】
一般的に、温度検出センサが故障した場合、故障した温度検出センサの交換や修理などには、比較的長い時間を要する場合がある。この場合、上記特許文献１に記載されたショーケースでは、温度検出センサの故障などによる異常時には、記憶された最新の開閉時間間隔のみに基づいて冷媒電磁弁の開閉が行われる（最新の開閉時間間隔による冷媒電磁弁の開閉が継続的に行われる）ため、外気温の変化などに起因して、ショーケースの庫内の温度の制御が適切にできない場合があるという不都合がある。すなわち、温度検出センサの異常が比較的長い時間継続する場合に、庫内の温度の制御が適切にできない場合があるという問題点がある。
【０００５】
この発明は、上記のような課題を解決するためになされたものであり、この発明の１つの目的は、温度測定部の異常が比較的長い時間継続する場合でも、庫内の温度を適切に制御することが可能なショーケースおよび冷却制御装置を提供することである。
【課題を解決するための手段】
【０００６】
この発明の第１の局面によるショーケースは、冷却器と、冷却器に冷媒を送液する電磁弁と、庫内の温度を測定する温度測定部と、温度測定部により測定された温度に基づいて電磁弁のオンオフを制御する制御部と、各時間帯ごとの電磁弁のオン時間の割合を記憶する記憶部とを備え、制御部は、温度測定部が異常である場合に、記憶部に記憶された各時間帯ごとの電磁弁のオン時間の割合に基づいて、電磁弁のオンオフを制御するように構成されている。
【０００７】
この発明の第１の局面によるショーケースでは、上記のように、制御部を、温度測定部が異常である場合に、記憶部に記憶された各時間帯ごとの電磁弁のオン時間の割合に基づいて、電磁弁のオンオフを制御するように構成する。これにより、最新の（温度測定部が異常になった直前の）電磁弁のオン時間の割合のみに基づいて電磁弁のオンオフを制御する場合と異なり、各時間帯ごとに応じた電磁弁のオン時間の割合に基づいて電磁弁のオンオフを制御することができる。その結果、温度測定部の異常が比較的長い時間継続する場合でも、庫内の温度を適切に制御することができる。
【０００８】
上記第１の局面によるショーケースにおいて、好ましくは、制御部は、温度測定部が異常である場合に、記憶部に記憶された各時間帯ごとの電磁弁のオン時間の割合に、所定の補正量を加算するとともに、所定の補正量が加算された電磁弁のオン時間の割合に基づいて、電磁弁のオンオフを制御するように構成されている。このように構成すれば、電磁弁のオン時間の割合が記憶部に記憶された時点のショーケースの周囲の環境（温度など）と、温度測定部が異常になった時点のショーケースの周囲の環境とが変化した場合でも、所定の補正量を加算することにより、環境の変化に応じて庫内の温度を適切に制御することができる。
【０００９】
この場合、好ましくは、制御部は、温度測定部が異常である場合に、温度測定部の異常が発生した直前の時間帯のオン時間の割合と、前日の同じ時間帯のオン時間の割合との差分値を算出して、記憶部に記憶された各時間帯ごとの電磁弁のオン時間の割合に、差分値を所定の補正量として加算するとともに、所定の補正量が加算された電磁弁のオン時間の割合に基づいて、電磁弁のオンオフを制御するように構成されている。このように構成すれば、記憶部に各時間帯ごとの電磁弁のオン時間の割合が記憶された時点のショーケースの周囲の環境（温度など）と、温度測定部が異常になった時点のショーケースの周囲の環境との変化を差分値により表すことができる。その結果、差分値を所定の補正量として加算することにより、環境の変化に応じて庫内の温度を適切に制御することができる。また、差分値の算出が制御部により行われるので、ユーザが補正量を設定する場合と異なり、ユーザの手間を省くことができる。
【００１０】
上記所定の補正量が加算された電磁弁のオン時間の割合に基づいて電磁弁のオンオフを制御するショーケースにおいて、好ましくは、所定の補正量は、ユーザにより設定されるように構成されており、制御部は、温度測定部が異常である場合に、記憶部に記憶された各時間帯ごとの電磁弁のオン時間の割合に、ユーザにより設定された所定の補正量を加算するとともに、所定の補正量が加算された電磁弁のオン時間の割合に基づいて、電磁弁のオンオフを制御するように構成されている。このように構成すれば、記憶部に各時間帯ごとの電磁弁のオン時間の割合が記憶された時点のショーケースの周囲の環境（温度など）と、温度測定部が異常になった時点のショーケースの周囲の環境とが変化した場合でも、ユーザにより設定された所定の補正量を加算することにより、環境の変化に応じて庫内の温度を適切に制御することができる。また、温度測定部が異常である場合に、ショーケース内に配置される物品が交換されるなど庫内の温度をより冷却する（または温度を高める）必要がある場合でも、ユーザが所定の補正量を変更することにより、庫内の温度を物品に適切な温度に制御することができる。
【００１１】
上記第１の局面によるショーケースにおいて、好ましくは、温度測定部の異常を検出する異常検出部をさらに備え、制御部は、異常検出部により、温度測定部の異常が検出された場合に、温度測定部により測定された温度に基づいて電磁弁をオンオフする制御から、記憶部に記憶された各時間帯ごとの電磁弁のオン時間の割合に基づいて、電磁弁をオンオフする制御に切り替えるように構成されている。このように構成すれば、温度測定部が異常になった場合に、容易に、記憶部に記憶された各時間帯ごとの電磁弁のオン時間の割合に基づいて電磁弁をオンオフする制御に切り替えることができる。
【００１２】
この発明の第２の局面による冷却制御装置は、庫内の温度を測定する温度測定部と、温度測定部により測定された温度に基づいて、冷却器に冷媒を送液する電磁弁のオンオフを制御する制御部と、各時間帯ごとの電磁弁のオン時間の割合を記憶する記憶部とを備え、制御部は、温度測定部が異常である場合に、記憶部に記憶された各時間帯ごとの電磁弁のオン時間の割合に基づいて、電磁弁のオンオフを制御するように構成されている。
【００１３】
この発明の第２の局面による冷却制御装置では、上記のように、制御部を、温度測定部が異常である場合に、記憶部に記憶された各時間帯ごとの電磁弁のオン時間の割合に基づいて、電磁弁のオンオフを制御するように構成する。これにより、最新の（温度測定部が異常になった直前の）電磁弁のオン時間の割合のみに基づいて電磁弁のオンオフを制御する場合と異なり、各時間帯ごとに応じた電磁弁のオン時間の割合に基づいて電磁弁のオンオフを制御することができる。その結果、温度測定部の異常が比較的長い時間継続する場合でも、庫内の温度を適切に制御することが可能な冷却制御装置を提供することができる。
【発明の効果】
【００１４】
本発明によれば、上記のように、温度測定部の異常が比較的長い時間継続する場合でも、庫内の温度を適切に制御することができる。
【図面の簡単な説明】
【００１５】
【図１】本発明の一実施形態によるショーケースのブロック図である。
【図２】本発明の一実施形態によるショーケースの補正量操作部（自動補正）を示す図である。
【図３】本発明の一実施形態によるショーケースの補正量操作部（手動補正）を示す図である。
【図４】本発明の一実施形態によるショーケースの電磁弁のオンオフの制御を説明するためのフロー図である。
【図５】本発明の一実施形態によるショーケースの温度センサの正常時の制御を説明するための図である。
【図６】本発明の一実施形態によるショーケースの記憶部に記憶された各時間帯ごとの電磁弁のオン時間の割合を説明するための図である。
【発明を実施するための形態】
【００１６】
以下、本発明を具体化した実施形態を図面に基づいて説明する。
【００１７】
まず、図１を参照して、本実施形態によるショーケース１００の構成について説明する。
【００１８】
図１に示すように、ショーケース１００には、冷凍装置１が設けられている。冷凍装置１は、圧縮機（図示せず）、凝縮器（図示せず）、冷却器１１、冷却器１１に冷媒を送液する電磁弁１２を含む。そして、冷凍装置１によって、ショーケース１００の庫内が冷却されるように構成されている。
【００１９】
また、ショーケース１００には、温度センサ２が設けられている。温度センサ２は、庫内の温度を測定するとともに、測定した温度の計測値（温度センサ計測値）を、後述する制御部３の正常時制御手段３１、および、異常検出部５に出力するように構成されている。なお、温度センサ２は、本発明の「温度測定部」の一例である。
【００２０】
また、ショーケース１００には、制御部３が設けられている。制御部３は、正常時制御手段３１、異常時制御手段３２、および、算出手段３３としての機能を有する。正常時制御手段３１は、温度センサ２が異常でない場合（正常時）には、温度センサ２により測定された温度に基づいて電磁弁のオンオフを制御（図５参照）するように構成されている。ここで、本実施形態では、制御部３の異常時制御手段３２は、温度センサ２が異常である場合に、後述する記憶部４に記憶された各時間帯ごとの電磁弁１２のオン時間の割合に基づいて、電磁弁１２のオンオフを制御するように構成されている。具体的には、異常時制御手段３２は、温度センサ２が異常である場合に、記憶部４に記憶された各時間帯ごとの電磁弁１２のオン時間の割合に、所定の補正量を加算するように構成されている。そして、異常時制御手段３２は、所定の補正量が加算された電磁弁１２のオン時間の割合に基づいて、電磁弁１２のオンオフを制御するように構成されている。なお、電磁弁１２のオンオフの制御の詳細な説明は後述する。
【００２１】
また、算出手段３３は、温度センサ２が異常でない場合（正常時）に、各時間帯ごとの電磁弁１２のオン時間の割合を算出して、後述する記憶部４に記憶するように構成されている。なお、電磁弁１２のオン時間の割合の算出方法の説明は、後述する。
【００２２】
また、ショーケース１００には、記憶部４が設けられている。記憶部４は、各時間帯ごとの電磁弁１２のオン時間の割合を記憶するように構成されている。たとえば、記憶部４は、１時間ごとの電磁弁１２のオン時間の割合（図６参照）を記憶するように構成されている。なお、温度センサ２、制御部３および記憶部４は、本発明の「冷却制御装置」の一例である。
【００２３】
また、ショーケース１００には、異常検出部５が設けられている。異常検出部５は、温度センサ２の異常を検出した場合に、温度センサ２が異常であることを示す信号（異常信号）を、制御部３の正常時制御手段３１、異常時制御手段３２および算出手段３３に出力するように構成されている。なお、温度センサ２の異常とは、温度センサ２の故障などにより、庫内の温度の測定ができなくなった場合などである。そして、本実施形態では、制御部３は、異常検出部５により、温度センサ２の異常が検出された場合に、温度センサ２により測定された温度に基づいて電磁弁１２をオンオフする制御（図５参照）から、記憶部４に記憶された各時間帯ごとの電磁弁１２のオン時間の割合（図６参照）に基づいて、電磁弁１２をオンオフする制御に切り替えるように構成されている。
【００２４】
また、ショーケース１００には、記憶部４に記憶された各時間帯ごとの電磁弁１２のオン時間の割合に加算する所定の補正量を操作（入力）するための補正量操作部６が設けられている。補正量操作部６には、図２に示すように、ｕｐボタン６１と、ｄｏｗｎボタン６２と、決定ボタン６３と、クリアボタン６４とが設けられている。そして、ユーザがｕｐボタン６１（または、ｄｏｗｎボタン６２）を押下するごとに、補正量操作部６の画面６５が、自動補正（図２参照）、手動補正（−２０％）、手動補正（−１０％）、手動補正（０％）、手動補正（＋１０％）（図３参照）・・・の順に切り替わるように構成されている。そして、ユーザが決定ボタン６３を押下することにより、所望の補正量を選択することが可能となる。また、ユーザがクリアボタン６４を押下することにより、選択した補正量を解除することが可能となる。
【００２５】
また、第１実施形態では、制御部３の異常時制御手段３２は、温度センサ２が異常である場合（および、自動補正（図２参照）が選択されている場合）には、温度センサ２の異常が発生した直前の時間帯のオン時間の割合と、前日の同じ時間帯のオン時間の割合との差分値を算出するように構成されている。そして、異常時制御手段３２は、記憶部４に記憶された各時間帯ごとの電磁弁１２のオン時間の割合（図６参照）に、差分値を所定の補正量として加算するとともに、所定の補正量が加算された電磁弁１２のオン時間の割合に基づいて、電磁弁１２のオンオフを制御するように構成されている。
【００２６】
また、第１実施形態では、制御部３の異常時制御手段３２は、温度センサ２が異常である場合（および、手動補正（図３参照）が選択されている場合）には、記憶部４に記憶された各時間帯ごとの電磁弁１２のオン時間の割合（図６参照）に、ユーザにより設定された所定の補正量（図３参照）を加算するとともに、所定の補正量が加算された電磁弁１２のオン時間の割合に基づいて、電磁弁１２のオンオフを制御するように構成されている。
【００２７】
次に、図４〜図６を参照して、ショーケース１００の制御部３の動作について説明する。
【００２８】
まず、図４に示すように、ステップＳ１において、異常検出部５からの出力（信号）に基づいて、温度センサ２が異常であるか否かを判断する。温度センサ２が異常でない（正常である）と判断された場合には、ステップＳ２に進む。
【００２９】
ステップＳ２では、図５に示すように、温度センサ２により測定された温度に基づいて電磁弁１２をオンオフする制御が行われる。具体的には、温度センサ２により測定された庫内の温度が、所定の第１温度（ＯＮ点）に達した場合は、電磁弁１２がオン状態（開状態）にされる。これにより、冷却器１１に冷媒が送液され、冷却器１１からの冷気によって庫内が冷却される。また、温度センサ２により測定された庫内の温度が、所定の第２温度（ＯＦＦ点）に達した場合は、電磁弁１２がオフ状態（閉状態）にされる。これにより、冷却器１１への冷媒の送液が停止され、庫内の温度が上昇する。
【００３０】
また、算出手段３３により、各時間帯ごとの電磁弁１２のオン時間の割合が算出され、記憶部４に記憶される。具体的には、図５に示すように、正常時制御手段３１（図１参照）から電磁弁１２に出力される制御信号に基づいて、電磁弁１２がオン状態の期間（Ｔ２）と、電磁弁１２がオンしてから次回オンするまでの間の期間（Ｔ１）とが計測される。そして、期間（Ｔ２）を期間（Ｔ１）により除算した値（Ｔ２／Ｔ１）が、電磁弁１２のオン時間の割合として算出される。算出された電磁弁１２のオン時間の割合は、記憶部４に記憶される。第１実施形態では、図６に示すように、１時間の間におけるオン時間の割合の平均値が、記憶部４に記憶されている。なお、図６では、前日（００：００〜２３：５９）の各時間帯ごとの電磁弁１２のオン時間の割合（平均値）と、本日の００：００〜１２：５９までの各時間帯ごとの電磁弁１２のオン時間の割合（平均値）とが記憶されている。また、温度センサ２が異常でない（正常である）と判断された場合には、ステップＳ１およびＳ２の動作が、繰り返し行われる。
【００３１】
また、ステップＳ１において、異常検出部５からの出力（信号）に基づいて、温度センサ２が異常であると判断された場合には、ステップＳ３に進む。具体的には、異常検出部５から異常を検出したことを示す信号が、正常時制御手段３１に出力されることにより、正常時制御手段３１が停止される。また、異常検出部５から異常を検出したことを示す信号が、異常時制御手段３２に出力されることにより、異常時制御手段３２が起動される。そして、ステップＳ３に進んで、ユーザによる補正量操作部６の操作により、自動補正（図２参照）が選択されているか否かが判断される。自動補正（図２参照）が選択されている場合には、ステップＳ４に進む。
【００３２】
ステップＳ４では、温度センサ２の異常が発生した直前の時間帯のオン時間の割合と、前日の同じ時間帯のオン時間の割合との差分値が算出される。たとえば、図６に示すように、１３：００〜１３：５９の期間において温度センサ２の異常が検出されたとする。この場合、温度センサ２の異常が発生した直前の時間帯（本日の１２：００〜１２：５９）のオン時間の割合である８５％と、前日の同じ時間帯（１２：００〜１２：５９）のオン時間の割合である８０％との差分値が算出される。ここで、差分値は、＋５％（＝８５％−８０％）である。そして、制御部３（異常時制御手段３２）は、記憶部４に記憶された昨日の各時間帯ごとの電磁弁１２のオン時間の割合に、差分値を所定の補正量として加算する。たとえば、１３：００〜１３：５９の期間では、昨日のオン時間の割合８０％に、差分値＋５％が加算されて、８５％になる。また、１４：００〜１４：５９の期間では、昨日のオン時間の割合７８％に、差分値＋５％が加算されて、８３％になる。そして、差分値（所定の補正量）が加算された各時間帯ごとの電磁弁１２のオン時間の割合に基づいて、電磁弁１２のオンオフが制御される。その後、ステップＳ１に戻る。
【００３３】
また、ステップＳ３において、手動補正（図３参照）が選択されている場合には、ステップＳ５に進む。ステップＳ５では、記憶部４に記憶された前日の各時間帯ごとの電磁弁１２のオン時間の割合（図６参照）に、ユーザにより設定された所定の補正量（図３参照）が加算される。たとえば、図３に示すように、所定の補正量が＋１０％である場合には、１３：００〜１３：５９の期間では、昨日のオン時間の割合８０％に、所定の補正量＋１０％が加算されて、９０％になる。また、１４：００〜１４：５９の期間では、昨日のオン時間の割合７８％に、所定の補正量＋１０％が加算されて、８８％になる。そして、所定の補正量が加算された各時間帯ごとの電磁弁１２のオン時間の割合に基づいて、電磁弁１２のオンオフが制御される。その後、ステップＳ１に戻る。
【００３４】
なお、ユーザによる補正量操作部６の操作による自動補正または手動補正の選択は、温度センサ２が異常である期間中においても行うことが可能なように構成されている。これにより、周囲の環境変化（温度変化）、冷凍装置１の冷却能力の過不足など、状況に適するように、自動補正または手動補正（所定の補正量）の選択が行われる。
【００３５】
また、温度センサ２が異常である期間中（ステップＳ１、Ｓ３〜Ｓ５）において、温度センサ２の異常が解消された場合には、ステップＳ１からステップＳ２に進んで、異常時制御手段３２が停止されるとともに、正常時制御手段３１が起動される。そして、温度センサ２により測定された温度に基づいて電磁弁１２をオンオフする制御（正常時の動作、図５参照）が行われる。
【００３６】
本実施形態では、以下のような効果を得ることができる。
【００３７】
本実施形態では、上記のように、制御部３を、温度センサ２が異常である場合に、記憶部４に記憶された各時間帯ごとの電磁弁１２のオン時間の割合に基づいて、電磁弁１２のオンオフを制御するように構成する。これにより、最新の（温度センサ２が異常になった直前の）電磁弁１２のオン時間の割合のみに基づいて電磁弁１２のオンオフを制御する場合と異なり、各時間帯ごとに応じた電磁弁１２のオン時間の割合に基づいて電磁弁１２のオンオフを制御することができる。その結果、温度センサ２の異常が比較的長い時間継続する場合でも、庫内の温度を適切に制御することができる。
【００３８】
また、本実施形態では、上記のように、温度センサ２が異常である場合に、記憶部４に記憶された各時間帯ごとの電磁弁１２のオン時間の割合に、所定の補正量を加算するとともに、所定の補正量が加算された電磁弁１２のオン時間の割合に基づいて、電磁弁１２のオンオフを制御するように制御部３を構成する。これにより、電磁弁１２のオン時間の割合が記憶部４に記憶された時点のショーケース１００の周囲の環境（温度など）と、温度センサ２が異常になった時点のショーケース１００の周囲の環境とが変化した場合でも、所定の補正量を加算することにより、環境の変化に応じて庫内の温度を適切に制御することができる。
【００３９】
また、本実施形態では、上記のように、温度センサ２が異常である場合に、温度センサ２の異常が発生した直前の時間帯のオン時間の割合と、前日の同じ時間帯のオン時間の割合との差分値を算出して、記憶部４に記憶された各時間帯ごとの電磁弁１２のオン時間の割合に、差分値を所定の補正量として加算するとともに、所定の補正量が加算された電磁弁１２のオン時間の割合に基づいて、電磁弁１２のオンオフを制御するように制御部３を構成する。これにより、記憶部４に各時間帯ごとの電磁弁１２のオン時間の割合が記憶された時点のショーケース１００の周囲の環境（温度など）と、温度センサ２が異常になった時点のショーケース１００の周囲の環境との変化を差分値により表すことができる。その結果、差分値を所定の補正量として加算することにより、環境の変化に応じて庫内の温度を適切に制御することができる。また、差分値の算出が制御部３により行われるので、ユーザが補正量を設定する場合と異なり、ユーザの手間を省くことができる。
【００４０】
また、本実施形態では、上記のように、所定の補正量は、ユーザにより設定されるように構成されており、温度センサ２が異常である場合に、記憶部４に記憶された各時間帯ごとの電磁弁１２のオン時間の割合に、ユーザにより設定された所定の補正量を加算するとともに、所定の補正量が加算された電磁弁１２のオン時間の割合に基づいて、電磁弁１２のオンオフを制御するように制御部３を構成する。これにより、記憶部４に各時間帯ごとの電磁弁１２のオン時間の割合が記憶された時点のショーケース１００の周囲の環境（温度など）と、温度センサ２が異常になった時点のショーケース１００の周囲の環境とが変化した場合でも、ユーザにより設定された所定の補正量を加算することにより、環境の変化に応じて庫内の温度を適切に制御することができる。また、温度センサ２が異常である場合に、ショーケース１００内に配置される物品が交換されるなど庫内の温度をより冷却する（または温度を高める）必要がある場合でも、ユーザが所定の補正量を変更することにより、庫内の温度を物品に適切な温度に制御することができる。
【００４１】
また、本実施形態では、上記のように、温度センサ２の異常を検出する異常検出部５を設けて、異常検出部５により、温度センサ２の異常が検出された場合に、温度センサ２により測定された温度に基づいて電磁弁１２をオンオフする制御から、記憶部４に記憶された各時間帯ごとの電磁弁１２のオン時間の割合に基づいて、電磁弁１２をオンオフする制御に切り替えるように制御部３を構成する。これにより、温度センサ２が異常になった場合に、容易に、記憶部４に記憶された各時間帯ごとの電磁弁１２のオン時間の割合に基づいて電磁弁１２をオンオフする制御に切り替えることができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００４３】
たとえば、上記実施形態では、温度センサが異常である場合に、記憶部に記憶された各時間帯ごとの電磁弁のオン時間の割合に所定の補正量を加算して、電磁弁のオンオフを制御するように構成されている例を示したが、本発明はこれに限られない。たとえば、ショーケースの周囲の環境の変化（温度変化）が小さい場合などでは、所定の補正量を加算せずに電磁弁のオンオフを制御するように構成してもよい。
【００４４】
また、上記実施形態では、温度センサが異常である場合に、温度センサの異常が発生した直前の時間帯のオン時間の割合と、前日の同じ時間帯のオン時間の割合との差分値を所定の補正量として算出する例を示したが、本発明はこれに限られない。たとえば、温度センサの異常が発生した直前の時間帯以外の時間帯のオン時間の割合(前日の全時間帯の平均値など)との差分値を所定の補正量として算出してもよい。
【００４５】
また、上記実施形態では、補正量操作部のボタンが操作されることにより、補正量が１０％ずつ変化する例を示したが、本発明はこれに限られない。たとえば、補正量操作部にテンキーを設けて、ユーザが所望の補正量をテンキーにより直接入力するようにしてもよい。
【００４６】
また、上記実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００４７】
２  温度センサ（温度測定部、冷却制御装置）
３  制御部（冷却制御装置）
４  記憶部（冷却制御装置）
５  異常検出部
１１  冷却器
１２  電磁弁
１００  ショーケース
【図１】
2016023879.tif 000003
【図２】
2016023879.tif 000004
【図３】
2016023879.tif 000005
【図４】
2016023879.tif 000006
【図５】
2016023879.tif 000007
【図６】
2016023879.tif 000008